(57)【特許請求の範囲】
【請求項１】
施錠することによって鍵が抜き取り可能となるロッカー用錠であって、鍵を鍵穴に差し込んで操作するシリンダ錠と、該シリンダ錠の回転軸に連動して回転し、ロッカーの扉が開扉可能な退避位置と、扉がロックされるロック位置とのポジションを取る開閉用カンヌキと、前記シリンダ錠と前記開閉用カンヌキを内蔵するハウジングとを備え、他方該ハウジングの前面には、指で押し込み操作する、先端に突起部を設けた押しボタンを進退自在に取り付けるとともに、前記開閉用カンヌキにロック板を一体的に設け、該ロック板の適所には前記押しボタン先端の突起部に係合するフック部を形成し、前記押しボタンが押し込まれていない位置においては前記フック部が押しボタン先端の突起部に係合して開閉用カンヌキを所定位置に保持することによりシリンダ錠に差し込んだ鍵の回転が制止されて、施錠することができないようになり、前記押しボタンが押し込まれた位置においては前記フック部と押しボタン先端の突起部の係合が解かれて開閉用カンヌキの自由回転が可能となり、前記鍵を回して施錠することができるようにしたことを特徴とするロッカー用錠。
【発明の詳細な説明】
【０００１】
【発明の属する技術分野】
この発明はロッカー用錠に関し、押しボタン機構を使用してシリンダ錠の施錠方向への鍵の回転を制止する機構を解除することができるようにしたロッカー用錠を提供しようとするものである。
【０００２】
【従来の技術】
従来の、ゴルフ場やスポーツクラブ、温泉施設、その他の施設でのロッカー用錠としては、単に機械的に施解錠する錠を利用者に手渡すのが一般的である。なおこの場合、鍵をリストバンドにつけたタイプも使用されている。また、部外者が利用できないように専用カードを使用し、専用カード印記憶させた識別情報等を読み取って施開錠するようにしたり、暗証番号等の入力によって開錠できるようにして、鍵を不要とした電子タイプも使用されている。
【０００３】
【発明が解決しようとする課題】
しかしながら、前者の機械的に施解錠する錠を利用者に手渡す方法においては、人間の習性で使用後に使用者が鍵を持ち帰ってしまうことが頻発し、ロッカーを閉じなくてもよいときにロッカーが施錠され、使用可能なロッカーが減少したり、鍵が返却されないままとなってしまうという問題があった。
【０００４】
また、単に省人化するために、後者の専用カードを利用する場合、その発行や紛失したときの再発行等において、カードの管理に手間が掛かるという問題があった。暗証番号等の入力によって開錠できるようにするものにおいては、暗証番号等を失念してしまって大騒ぎとなったり、暗証番号を覗かれて不正開錠されやすいという問題があり、しかも設備に費用がかかるという欠点があった。
【０００５】
この発明のロッカー用錠は従来例の上記欠点を解消したもので、押しボタンが押し込まれていなければシリンダ錠の鍵の回転を止め、施錠することができない機構と、押しボタンが押し込まれていれば鍵の回転を止める機構を解除し、前記鍵を回して施錠することができる機構とを備えることにより、使用後に使用者が鍵を持ち帰ってしまうことがないようにしたいという要請をロッカー錠の機械的な内部機構のみで解消し、複雑で高価になりやすい電気的あるいは電子的な機構を不要としたものである。
【０００６】
【課題を解決するための手段】
すなわちこの発明のロッカー用錠は、押しボタンが押し込まれていなければシリンダ錠の鍵の回転を止め、施錠することができない機構と、押しボタンが押し込まれていれば鍵の回転を止める機構を解除し、前記鍵を回して施錠することができる機構とを備えたことを特徴とするものである。
【０００７】
またこの発明のロッカー用錠は、施錠することによって鍵が抜き取り可能となるロッカー用錠であって、鍵を鍵穴に差し込んで操作するシリンダ錠と、該シリンダ錠の回転軸に連動して回転し、ロッカーの扉が開扉可能な退避位置と、扉がロックされるロック位置とのポジションを取る開閉用カンヌキと、前記シリンダ錠と前記開閉用カンヌキを内蔵するハウジングとを備え、他方該ハウジングの前面には、指で押し込み操作する、先端に突起部を設けた押しボタンを進退自在に取り付けるとともに、前記開閉用カンヌキにロック板を一体的に設け、該ロック板の適所には前記押しボタン先端の突起部に係合するフック部を形成し、前記押しボタンが押し込まれていない位置においては前記フック部が押しボタン先端の突起部に係合して開閉用カンヌキを所定位置に保持することによりシリンダ錠に差し込んだ鍵の回転が制止されて、施錠することができないようになり、前記押しボタンが押し込まれた位置においては前記フック部と押しボタン先端の突起部の係合が解かれて開閉用カンヌキの自由回転が可能となり、前記鍵を回して施錠することができるようにしたことをも特徴とするものである。
【０００８】
この発明のロッカー用錠によれば、押しボタンが押し込まれていなければシリンダ錠に差し込んだ鍵の回転を制止し、施錠することができなくした機構と、押しボタンが押し込まれていれば鍵の回転を制止する機構を解除し、前記鍵を回して施錠することができる機構とを備えるようにしたので、使用後に使用者が鍵を持ち帰ってしまうことがなくなり、かつ低コストのロッカー用錠を提供することが可能となった。
【０００９】
【発明の実施の形態】
以下図面に基いて、この発明のロッカー用錠の実施の形態について詳細に説明する。図１はこの発明のロッカー用錠の一実施例を示し、機構部分の背面図、図２は要部断面図、図３は要部の正面図である。
【００１０】
図１ないし図３において、１は金属製あるいはプラスチック製等からなるハウジングであり、このハウジング１はその前面に鍵穴２を開口した機械的錠機構を内蔵している。この機械的錠機構は一般に汎用されているシリンダ錠３（内部機構を省略）とすることができる。
【００１１】
４は、シリンダ錠３に連動して回転する開閉用のカンヌキで、鍵２１を操作することによってシリンダ錠３が回転し、シリンダ錠３の回転軸５の回転に連動して開閉用カンヌキ４が、所定の開閉のためのポジションを取るようになっている。６は開閉用カンヌキ４に一体的に設けたロック板で、開閉用カンヌキ４の軸着部分とほぼ一体をなすように形成され、その板面にはガイド溝７が穿設されている。上記ハウジング１の前面に形成した鍵穴２に対応して、ハウジング１前面には押しボタン８が進退自在に取り付けられている。そして、この押しボタン８の先端には所定の厚さの突起部９が形成され、常態では上記ガイド溝７内にはまり合うよう保持されている。なお１０は、押しボタン８の先端に設けた突起部９に係合して開閉用カンヌキ４を所定位置に保持しておくためのフック部で、上記ガイド溝７の一部をなしている。
【００１２】
また１１は弾性スプリングで、押しボタン８の先端に併設したスプリング保持部１２の収納孔１３内に取り付けられ、押しボタン８を常態でハウジング１の前面から突出する方向に付勢している。
【００１３】
上記実施例に示したロッカー用錠は次のような動作をするものである。先ず操作前においては、ロッカー用錠は鍵穴２に鍵２１が差し込まれた状態のままであり、図１（実線）のように開閉用カンヌキ４は退避位置に保持されている。そして、ロッカーの使用者等が、ロッカーを使用するに際してロッカーの扉を閉じる場合には、図２（一点鎖線）に示すように押しボタン８をハウジング１の前面において指で押す。
【００１４】
すると、図１および図２のように弾性スプリング１１の力に抗して押しボタン８が押し込まれる。押し込まれた押しボタン８の突起部９は後退し、開閉用カンヌキ４のフック部１０が突起部９から外れる。
【００１５】
この状態で鍵２１によりシリンダ錠３の回転軸５をロック方向に回すと、開閉用カンヌキ４が回転してロッカーの扉がロックされる。もちろん、その後使用者等は鍵２１を抜き取ってゴルフ場やスポーツクラブ、温泉施設、その他の施設を利用すればよいのである。
【００１６】
次に使用者等がロッカーに戻り、鍵２１を鍵穴２から挿入してシリンダ錠３の回転軸５を開閉用カンヌキ４の退避方向に回すと、ロッカーは開扉可能な状態となる。同時に、ロック板６が開閉用カンヌキ４とともに回動し、フック部１０が押しボタン８の突起部９を通過して、ガイド溝７が最初の位置に復帰する。それと同時に、ガイド溝７内を弾性スプリング１１によって押された押しボタン８の突起部９が通過して、押しボタン８も最初の位置に復帰する。以上の操作が終わると、ロッカーの使用を終了することができる。
【００１７】
上記において、使用者等がロッカーに戻り、鍵２１を鍵穴２から挿入してシリンダ錠３を操作し、施錠して鍵を抜き取ろうとしても押しボタン８を指で押すまでは施錠できないので、無意識に鍵２１を抜き取って持ち帰ってしまうという問題が解消できた。
【００１８】
【発明の効果】
この発明のロッカー用錠によれば、押しボタンが押し込まれていなければシリンダ錠に差し込んだ鍵の回転が制止されて、施錠することができなくした機構と、押しボタンが押し込まれていれば鍵の回転を制止する機構を解除し、前記鍵を回して施錠することができる機構とを備えるようにしたので、使用後に使用者が鍵を持ち帰ってしまうことがなくなり、かつ低コストのロッカー用錠を提供することが可能となった。
【図面の簡単な説明】
【図１】この発明のロッカー用錠の一実施例を示し、機構部分の背面図である。
【図２】その要部断面図である。
【図３】その要部の正面図である。
【符号の説明】
１ ハウジング
２ 鍵穴
３ シリンダ錠
４ 開閉用のカンヌキ
５ 回転軸
６ ロック板
７ ガイド溝
８ 押しボタン
９ 突起部
１０ フック部
１１ 弾性スプリング
１２ スプリング保持部
１３ 収納孔
２１ 鍵
【図１】
0004950383.tif 000002
【図２】
0004950383.tif 000003
【図３】
0004950383.tif 000004